(57)【要約】【課題】発光量の大小に関わらず、照明光の発光量を精度よく検出できる撮影装置等を提供する。【解決手段】撮影装置（１）を、発光装置（Ｓ）が発光する撮影用の照明光を検出し、かつ、該照明光の検出分解能が第１分解能モードと、第１分解能モードよりも分解能が低い第２分解能モードとで切り替え可能に設けられた検出部（２０）と、検出部（２０）に接続され、検出部（２０）の検出分解能を発光条件に応じて選択的に切り替える制御部（Ｕ１）とを備える構成とした。【選択図】図３
2009098301.tif 000002
【特許請求の範囲】
【請求項１】
発光装置が発光する撮影用の照明光を検出し、かつ、該照明光の検出分解能が第１分解能モードと、前記第１分解能モードよりも分解能が低い第２分解能モードとで切り替え可能に設けられた検出部と、
前記検出部に接続され、前記検出部の検出分解能を発光条件に応じて選択的に切り替える制御部と
を備える撮影装置。
【請求項２】
請求項１に記載の撮影装置において、
前記制御部は、前記照明光の発光予定量が閾値未満である場合には前記第１分解能モードを選択し、前記照明光の発光予定量が前記閾値以上である場合には前記第２分解能モードを選択すること
を特徴とする撮影装置。
【請求項３】
請求項１に記載の撮影装置おいて、
前記制御部は、被写体の輝度測定を行う予備発光時には前記第１分解能モードを選択し、前記輝度測定の結果に基づいて決定される本発光時の発光予定量に応じて前記第１分解能モード及び前記第２分解能モードのいずれかを選択すること
を特徴とする撮影装置。
【請求項４】
請求項１から請求項３までのいずれか１項に記載の撮影装置において、
前記検出部は、前記照明光の発光に応じてパルス信号を出力し、前記第１分解能モードでは、前記第２分解能モードに比べ単位発光量あたりのパルス信号を多く出力すること
を特徴とする撮影装置。
【請求項５】
請求項４に記載の撮影装置において、
前記検出部は、
前記照明光の発光に応じて電荷を出力する光電変換部と、
第１コンデンサ及び前記第１コンデンサよりも静電容量の大きい第２コンデンサを含み、前記光電変換部から出力された前記電荷の蓄積を行う蓄積部とを備えるとともに、
前記蓄積部に蓄積した電荷が前記各静電容量に応じた所定量を越えた場合に１パルス信号を出力し、
前記第１分解能モードでは前記第１コンデンサを用い、前記第２分解能モードでは前記第２コンデンサを用いること
を特徴とする撮影装置。
【請求項６】
カメラに対して接続可能に設けられた照明光発光装置であって、
撮影用の照明光を発光する発光部と、
前記発光部が発光する照明光を検出し、かつ、該照明光の検出分解能が第１分解能モードと、前記第１分解能モードよりも分解能が低い第２分解能モードとで切り替え可能に設けられた検出部と、
前記検出部に接続され、前記カメラから出力される発光条件情報に応じて前記検出部の検出分解能を選択的に切り替える制御部と
を特徴とする照明光発光装置。
【請求項７】
請求項６に記載の照明光発光装置において、
前記制御部は、前記照明光の発光予定量が閾値未満である場合には第１分解能モードを選択し、前記照明光の発光予定量が前記閾値以上である場合には第２分解能モードを選択すること
を特徴とする照明光発光装置。
【請求項８】
請求項６に記載の照明光発光装置において、
前記制御部は、被写体の輝度測定を行う予備発光時には前記第１分解能モードを選択し、前記輝度測定の結果に基づいて決定される本発光時の発光予定量に応じて前記第１分解能モード及び前記第２分解能モードのいずれかを選択すること
を特徴とする照明光発光装置。
【請求項９】
請求項６から請求項８までのいずれか１項に記載の照明光発光装置において、
前記検出部は、前記照明光の発光に応じてパルス信号を出力し、前記第１分解能モードでは、第２分解能モードに比べ発光量あたりのパルス信号数を多く出力すること
を特徴とする照明光発光装置。
【請求項１０】
請求項９に記載の照明光発光装置において、
前記検出部は、
前記照明光の発光に応じて電荷を出力する光電変換部と、
第１コンデンサ及び前記第１コンデンサよりも静電容量の大きい第２コンデンサを含み、前記光電変換部から出力された前記電荷の蓄積を行う蓄積部とを備えるとともに、
前記蓄積部に蓄積した電荷が前記各静電容量に応じた所定量に達した場合に１パルス信号を出力し、
前記第１分解能モードでは前記第１コンデンサを用い、前記第２分解能モードでは前記第２コンデンサを用いること
を特徴とする照明光発光装置。
【発明の詳細な説明】
【技術分野】
【０００１】
本発明は、撮影装置及び照明光発光装置に関するものである。
【背景技術】
【０００２】
カメラ等の撮影装置は、照明光発光装置の発光量を精度よく検出できれば発光停止のタイミングを精度よく決定できるので、予定された発光量で発光を行うことができる。このため、従来、受光素子の出力をパルス信号に変換することによって、発光量の検出精度を向上させた照明光発光装置が知られている（例えば、特許文献１参照）。
【特許文献１】特開平６−３０８５８５号公報
【発明の開示】
【発明が解決しようとする課題】
【０００３】
しかしながら、従来は、この受光素子の出力をパルス信号に変換する（いわゆるデジタル化する）にあたって、その発光量（受光出力）をデジタル化する際の「１パルス当たりの発光量」は、１回の照射光発光時の総発光量の大小にかかわらず、一定（固定）であった。
例えば、撮影時における露光直前の発光（被写体測定用の発光）である予備発光（プリ発光）時や、発光量の少ない本発光時（小発光と称す、なお本発光とは実際の露光時に行われる発光のこと）には、発光量の大きな本発光と比して、その発光量の差が大きく異なるものである。通常、パルスカウントのダイナミックレンジは、最大の発光量に合わせて設定されるものであるため、１パルス当たりの発光量を固定してデジタル化を行おうとすると、発光量の少ない上述のプリ発光や小発光の場合には、パルスのカウント数が少ないものとなり、たった１パルスだけの違いであっても発光量制御上では大きな制御誤差を招いてしまうというおそれがあった（「１パルス」に対して非常に高度な精密さが要求されてしまうおそれがあった）。
例えば、上述のプリ発光時の発光量（微小な発光量）の制御が不安定であると（プリ発光制御の度に各プリ発光量にばらつきを生じてしまうと）、そのプリ発光に基づいて決定されるべき本発光量に対しても結果的に非常に大きなばらつきを与えることになってしまい、本発光時（撮影時）の正確な調光が出来なくなる、といったおそれがある。
本発明は、非常に簡単な構成でありながら、発光量の大小にかかわらず、その各発光量を非常に精度良く制御することができ、正確な調光を行うことが可能な撮影装置、及び、照明光発光装置を提供することを目的とするものである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、発光装置（Ｓ）が発光する撮影用の照明光を検出し、かつ、該照明光の検出分解能が第１分解能モードと、前記第１分解能モードよりも分解能が低い第２分解能モードとで切り替え可能に設けられた検出部（２０）と、前記検出部に接続され、前記検出部の検出分解能を発光条件に応じて選択的に切り替える制御部（Ｕ１）とを備える撮影装置（１）である。
【０００５】
請求項２の発明は、請求項１に記載の撮影装置において、前記制御部（Ｕ１）は、前記照明光の発光予定量が閾値未満である場合には前記第１分解能モードを選択し、前記照明光の発光予定量が前記閾値以上である場合には前記第２分解能モードを選択することを特徴とする撮影装置（１）である。
請求項３の発明は、請求項１に記載の撮影装置おいて、前記制御部（Ｕ１）は、被写体の輝度測定を行う予備発光時には前記第１分解能モードを選択し、前記輝度測定の結果に基づいて決定される本発光時の発光予定量に応じて前記第１分解能モード及び前記第２分解能モードのいずれかを選択することを特徴とする撮影装置（１）である。
請求項４の発明は、請求項１から請求項３までのいずれか１項に記載の撮影装置において、前記検出部（２０）は、前記照明光の発光に応じてパルス信号を出力し、前記第１分解能モードでは、前記第２分解能モードに比べ単位発光量あたりのパルス信号を多く出力することを特徴とする撮影装置（１）である。
請求項５の発明は、請求項４に記載の撮影装置において、前記検出部（２０）は、前記照明光の発光に応じて電荷を出力する光電変換部（３）と、第１コンデンサ（Ｃ１１）及び前記第１コンデンサよりも静電容量の大きい第２コンデンサ（Ｃ１２）を含み、前記光電変換部から出力された前記電荷の蓄積を行う蓄積部（２１ａ）とを備えるとともに、前記蓄積部に蓄積した電荷が前記各静電容量に応じた所定量を越えた場合に１パルス信号を出力し、前記第１分解能モードでは前記第１コンデンサを用い、前記第２分解能モードでは前記第２コンデンサを用いることを特徴とする撮影装置（１）である。
【０００６】
請求項６の発明は、カメラ（２０１）に対して接続可能に設けられた照明光発光装置であって、撮影用の照明光を発光する発光部（２３０）と、前記発光部が発光する照明光を検出し、かつ、該照明光の検出分解能が第１分解能モードと、前記第１分解能モードよりも分解能が低い第２分解能モードとで切り替え可能に設けられた検出部（２２０）と、前記検出部に接続され、前記カメラから出力される発光条件情報に応じて前記検出部の検出分解能を選択的に切り替える制御部（Ｕ２０１）とを特徴とする照明光発光装置（Ｓ２）である。
【０００７】
請求項７の発明は、請求項６に記載の照明光発光装置において、前記制御部（Ｕ２０１）は、前記照明光の発光予定量が閾値未満である場合には第１分解能モードを選択し、前記照明光の発光予定量が前記閾値以上である場合には第２分解能モードを選択することを特徴とする照明光発光装置（Ｓ２）である。
請求項８の発明は、請求項６に記載の照明光発光装置において、前記制御部（Ｕ２０１）は、被写体の輝度測定を行う予備発光時には前記第１分解能モードを選択し、前記輝度測定の結果に基づいて決定される本発光時の発光予定量に応じて前記第１分解能モード及び前記第２分解能モードのいずれかを選択することを特徴とする照明光発光装置（Ｓ２）である。
請求項９の発明は、請求項６から請求項８までのいずれか１項に記載の照明光発光装置において、前記検出部は、前記照明光の発光に応じてパルス信号を出力し、前記第１分解能モードでは、第２分解能モードに比べ発光量あたりのパルス信号数を多く出力することを特徴とする照明光発光装置（Ｓ２）である。
請求項１０の発明は、請求項９に記載の照明光発光装置において、前記検出部（２２０）は、前記照明光の発光に応じて電荷を出力する光電変換部（２０３）と、第１コンデンサ及び前記第１コンデンサよりも静電容量の大きい第２コンデンサを含み、前記光電変換部から出力された前記電荷の蓄積を行う蓄積部とを備えるとともに、前記蓄積部に蓄積した電荷が前記各静電容量に応じた所定量に達した場合に１パルス信号を出力し、前記第１分解能モードでは前記第１コンデンサを用い、前記第２分解能モードでは前記第２コンデンサを用いることを特徴とする照明光発光装置（Ｓ２）である。
なお、符号を付して説明した構成は、適宜改良してもよく、また、少なくとも一部を他の構成物に代替してもよい。
【発明の効果】
【０００８】
本発明によれば、照明光の発光量の大小に関わらず、その発光量を精度よく制御できる撮影装置及び照明光発光装置を提供することができる。
【発明を実施するための最良の形態】
【０００９】
［第１実施形態］
以下、図面等を参照して、本発明を適用した撮影装置の実施形態であるデジタルカメラについて説明する。
図１は第１実施形態のデジタルカメラの機械的な構造を示す図である。この図１において、（ａ）は、被写体光をファインダ光学系に導く観察状態を示し、（ｂ）は、被写体光を撮像部に露光する撮影状態を示している。
【００１０】
デジタルカメラＤは、カメラ本体１と、カメラ本体１に着脱可能に装着される交換レンズ１０１とを備えた一眼レフカメラシステムである。カメラ本体１と交換レンズ１０１とは、電気接点８を介して電気信号の授受が行われる。
【００１１】
図１（ａ）に示す観察状態において、交換レンズ１０１に備えられた撮影レンズ１０２を通過した被写体光は、撮影光路中に置かれたミラー９によって反射され、ファインダ光学系に備えられたスクリーン５へ導かれる。
スクリーン５上に結像された被写体像は、ペンタプリズム６によって反射され、結像レンズ６ａを介して撮影者の目に導かれる。撮影者は、この被写体像を観察しながら構図の決定を行う。また、ペンタプリズム６によって反射された光の一部は、測光センサ４へ導かれる。
デジタルカメラＤは、シャッター釦１７（図３参照）が全押し操作されると、図１（ａ）に示す観察状態から、図１（ｂ）に示す撮影状態に移行するようになっている。
【００１２】
図１（ｂ）に示すように、デジタルカメラＤは、撮影状態においてミラー３が撮影光路から退避するとともにシャッター１０（図３参照）が駆動され、これによって、撮影レンズ１０２を通過した被写体光が撮像素子７の結像面上に結像される。
撮像素子７は、被写体光を電気信号に変換して出力する光−電気変換素子である。また、シャッター１０は、先幕と後幕とを備えた公知のフォーカルプレンシャッターである。
【００１３】
カメラ本体１は、内蔵型のスピードライトＳを備えている。スピードライトＳは、撮影条件に応じて被写体に対して適宜撮影用の照明光を照射するものであり、発光装置として機能する。
ここで、スピードライトＳを用いて撮影を行う際のスピードライトＳの発光パターンについて説明する。
図２は、図１に示すデジタルカメラに備えられたスピードライトの発光パターンを示す図である。図２（ａ）、（ｂ）は、それぞれ異なる撮影条件における発光パターンを示している。
【００１４】
デジタルカメラＤは、シャッター釦１７が全押し操作されると、まず、図１（ａ）に示す観察状態のまま、スピードライトＳによって予備発光（プリ発光）と称される発光を行う。この予備発光時に照射される照明光の発光量は微小な光量であり、図２（ａ）、（ｂ）に示すように、撮影条件に関わらず一定となっている。
【００１５】
予備発光時に照射された光は、被写体によって反射され、この反射光は、撮影レンズ１０２を介して測光センサ４に導かれる。測光センサ４の出力は、デジタルカメラＤに備えられた後述するマイクロコンピュータ（マイコン）Ｕ１に入力される。マイコンＵ１は、測光センサ４の出力に基づいて被写体の輝度を演算し、これに応じて露光時（本発光時）の発光量を決定する。
本発光時の発光強度、総発光量は、図２（ａ）、（ｂ）に示すように、撮影条件によって異なる場合があり、図２においては、（ａ）に示す発光パターンよりも（ｂ）に示す発光パターンの方が、ピーク時の発光強度が高くかつ総発光量が多くなっている（図２（ｂ）の例の本発光量は、予備発光量の約４倍であり、図２（ａ）の本発光量の約２．５倍である）。
【００１６】
次に図３を用いて、マイコンＵ１を中心としたデジタルカメラＤの電気回路について説明する。
図３は、図１に示すデジタルカメラの電気的な概略構成を示す図である。
カメラ本体１は、マイコンＵ１、スピードライトＳ及び調光回路部２０を備えている。
【００１７】
マイコンＵ１は、ＭＣＵ等の演算装置を含んでおり、デジタルカメラＤに備えられた電気要素を統括的に制御する制御部である。
マイコンＵ１の制御信号用出力ポートＰ０７及び測光値入力ポートＡＤ２は、それぞれ、測光センサ４に接続されている。測光センサ４は、マイコンＵ１から出力される制御信号に応じて測光を行い、被写体光の強度に応じた電気信号をマイコンＵ１のポートＡＤ２へ出力する。
【００１８】
マイコンＵ１は、出力ポートＰ１１、Ｐ１２を介してミラー制御信号をモータドライバ１２に対して出力し、シーケンスモータ１５を制御してミラー９の動作（ミラーアップ、ミラーダウン）を制御する。
マイコンＵ１は、出力ポートＰ１３、Ｐ１４を介してシャッター制御信号を出力し、シャッター駆動回路１３を制御してシャッター１０による露光動作を制御する。
マイコンＵ１は、出力ポートＰ１５を介して絞り制御信号を出力して絞り駆動回路１４を制御し、交換レンズ１０１に備えられた絞り１１の口径を変化させることによって撮像素子７に対する露光量を制御する。
【００１９】
マイコンＵ１の入力ポートＰｉ１、Ｐｉ２は、それぞれシャッター釦１７、シャッター全開スイッチ１６と接続されている。
シャッター釦１７は、撮影者がデジタルカメラＤに対して撮影動作の開始を命令するための入力操作部である。シャッター全開スイッチ１６は、デジタルカメラＤの駆動シーケンスに従って動作するものであり、シャッター１０の先幕の走行開始動作に連動してオンとなるシンクロスイッチである。
【００２０】
マイコンＵ１は、電気接点８を介して交換レンズ１０１に備えられたメモリ（不図示）と通信を行い、交換レンズ１０１から絞り値情報やレンズ固有のデータ等を受信する。
電気接点８は、カメラ本体１の接点Ｂ１〜Ｂ３と、交換レンズ１０１に備えられ接点Ｂ１〜Ｂ３にそれぞれ対応する電気接点Ｌ１〜Ｌ３とを有している。電気接点Ｌ１は、レンズ内のマイコンＵ１０１に給電し、電気接点Ｌ３はグランドに接続されている。また、電気接点Ｌ２は、交換レンズ１０１内のマイコンＵ１０１に接続されている。スイッチＳＷ１０１〜ＳＷ１０３は、距離エンコーダとして機能するものであり、撮影レンズ１０２の位置に応じてオン、オフの組合せを変化させる。
【００２１】
次に、スピードライトＳの構成について説明する。
スピードライトＳは、発光回路部３０を備えている。
発光回路部３０は、昇圧回路Ｋ１を備えており、この昇圧回路Ｋ１は、電池ＢＡＴの出力電圧が入力端子ＩＮに入力され、出力端子ＯＵＴから昇圧された電流を出力する。この電流は、メインコンデンサＣ１に蓄積される。マイコンＵ１のＡ／Ｄ変換入力端子ＡＤ１は、昇圧回路Ｋ１に接続されており、メインコンデンサＣ１の充電状態を検出する。
【００２２】
発光回路部３０は、ＩＧＢＴＱ１、閃光放電管２、抵抗Ｒ１、コンデンサＣ２、トランスＬ１等を備えている。ＩＧＢＴＱ１は、スピードライトＳのスイッチング回路として機能する部分であり、マイコンＵ１の出力ポートＰｏ１がそのゲート端子に接続されている。
【００２３】
ＩＧＢＴＱ１のコレクタ端子は、ダイオードＤ１のカソードに接続されるとともに、抵抗Ｒ１とコンデンサＣ２の接続点に接続されている。閃光放電管２は、メインコンデンサＣ１とダイオードＤ１のアノードの間に接続されている。トランスＬ１の２次側端子は、閃光放電管２のトリガ端子に接続されている。
【００２４】
また、ＩＧＢＴＱ１のゲート端子には、後述する調光回路部２０に備えられたコンパレータ２４が接続されている。発光回路部３０は、マイコンＵ１の出力ポートＰｏ１から出力される発光信号に応じて発光を開始し、コンパレータ２４から出力される発光停止信号に応じて発光の停止を行うようになっている。
【００２５】
調光回路部２０は、閃光放電管２の発光量を検出する検出部であり、かつ、マイコンＵ１と協働して閃光放電管２による発光量が予定された発光量となるように制御する部分である。
調光回路部２０は、ＳＰＤ（シリコンフォトダイオード）３、信号変換回路２１（蓄積部２１ａ、整流回路２１ｂ）、カウンタ２２、レジスタ／デコーダ２３及びコンパレータ２４を備えている（信号変換回路２１は、図示を省略する）。
【００２６】
ＳＰＤ３は、発光回路部３０に備えられた閃光放電管２の近傍に配置されており、閃光放電管２が発光すると、この光を検出して電荷（光電流）を出力する光電変換素子である。
【００２７】
信号変換回路２１は、ＳＰＤ３において発生した光電流をパルス信号に変換して出力する回路であり、蓄積部２１ａ、整流回路２１ｂを備えている。
蓄積部２１ａは、ＳＰＤ３から出力された電荷（光電流）を蓄積する部分であり、第１コンデンサＣ１１、第２コンデンサＣ１２、第１スイッチ回路Ｑ１１、第２スイッチ回路Ｑ１２を備えている。
第１コンデンサＣ１１と第２コンデンサＣ１２とは、その静電容量が異なっており、第１コンデンサＣ１１の方が、第２コンデンサＣ１２よりも静電容量が小さく設定されている。
この２つのコンデンサＣ１１、Ｃ１２は、後述する発光量の検出を行う際に、その発光量の予定値に応じて選択的に使用されるものである。具体的には、発光量の予定値が所定量未満であるとき（微小発光を行うとき）には第１コンデンサＣ１１が選択使用され、発光量の予定値が所定量以上であれば、第２コンデンサＣ１２が選択使用される。
【００２８】
第１スイッチ回路Ｑ１１は、マイコンＵ１の出力ポートＰｏ２に、第２スイッチ回路Ｑ１２は、マイコンＵ１の出力ポートＰｏ３にそれぞれ接続されており、蓄積部２１ａは、マイコンＵ１から出力される信号に応じて、第１コンデンサＣ１１及び第２コンデンサＣ１２のいずれかに電荷を蓄積する。マイコンＵ１がいずれのコンデンサを選択するかの決定基準については、後に説明する。
【００２９】
整流回路２１ｂは、ＳＰＤ３と蓄積部２１ａとの間に設けられた回路あって、例えば、４つのダイオードＤ１１〜Ｄ１４とインバータＵ１１とを含んでいる。整流回路２１ｂは、蓄積部２１ａに蓄積された電荷が静電容量を越えると、インバータＵ１１の出力が、ロウ（Ｌｏｗ）からハイ（Ｈｉｇｈ）に切り替わり、この出力の切り替わりに応じてパルス信号を出力するようになっている。
【００３０】
ここで、ＳＰＤ３から出力される電流値が同じである場合は、静電容量の小さい第１コンデンサＣ１１の方が第２コンデンサＣ１２に比べて、蓄電量が静電容量を越えるタイミング、すなわち、インバータＵ１１の出力がＬｏｗからＨｉｇｈに切り替わる周期が短くなる。
したがって、信号変換回路２１は、第１コンデンサＣ１１を選択したときの方が第２コンデンサＣ１２を選択した場合に比べ、閃光放電管２の単位発光量あたりの出力パルス数が多くなり、調光回路部２０は、より高い分解能で発光量を検出することができる。
このように、調光回路部２０は、第１コンデンサＣ１１を選択した第１分解能モードと、第２コンデンサＣ１２を選択し、検出分解能が第１分解能モードよりも低い第２分解能モードとを選択的に切り替えるようになっている。
【００３１】
カウンタ２２は、信号変換回路２１から出力されたパルス信号のパルス数をカウントする部分である。カウンタ２２は、マイコンＵ１の出力ポートＰｏ４に接続されており、マイコンＵ１からの信号に応じてリセット動作を行う。
【００３２】
レジスタ／デコーダ２３は、マイコンＵ１の出力ポートＰｏ５に接続されている。出力ポートＰｏ５からは、マイコンＵ１が決定する本発光時の発光予定量に応じたパルス数が入力され、このパルス数がレジスタ／デコーダ２３に登録される。
【００３３】
コンパレータ２４は、カウンタ２２から出力されるパルス数（検出パルス数）と、レジスタ／デコーダ２３に登録されたパルス数（設定パルス数）とを比較し、これらのパルス数が実質的に一致したときにＩＧＢＴＱ１に対して発光停止信号を出力するものである。
【００３４】
次に、本実施形態のデジタルカメラＤの撮影動作をフローチャート及びタイミングチャートを用いて説明する。
図４は、図１に示すデジタルカメラの撮影動作を示すフローチャートである。
図５は、図１に示すデジタルカメラの撮影動作を示すタイミングチャートであり、予備発光と本発光の発光量が略同じ場合を示している。
図６は、図１に示すデジタルカメラの撮影動作を示すタイミングチャートであり、本発光時の発光量が予備発光時の発光量よりも大きい場合を示している。
なお、これらのタイミングチャートは、理解を容易にするためにタイミングを示す符号ａ〜ｋを同一にして記載するが、デジタルカメラＤは、これらの処理を並行して行うものではない。
【００３５】
＜タイミングａ＞
（ステップＳ０１：予備発光準備）
マイコンＵ１は、シャッター釦１７が全押し操作されると、これに応じてシャッター駆動回路１３を制御して、シャッター１０に備えられた先幕及び後幕を保持（シャッター閉）させ、ステップＳ０２に進む。
（ステップＳ０２：第１コンデンサＣ１１選択）
また、マイコンＵ１は、予備発光時の発光量を検出するために、蓄積部２１ａに備えられた第１コンデンサＣ１１及び第２コンデンサＣ１２のうち、静電容量の小さい第１コンデンサＣ１１を選択して（Ｐｏ２＝Ｈｉｇｈ、Ｐｏ３＝Ｌｏｗ）ステップＳ０３に進む。
ここで、予備発光量は、予め決められた値であり、その発光量は、所定発光量未満の微小発光量であるため、本ステップＳ０２では第１コンデンサＣ１１が選択される。
なお、マイコンＵ１は、本発光時に第２コンデンサＣ１２を選択した場合であっても、本発光後に第１コンデンサＣ１１に設定を戻すので（図６参照）、このステップＳ０２では、通常コンデンサの切り替えは行わない。ただし、何らかの原因で、第２コンデンサＣ１２が選択されたままであれば、マイコンＵ１は、第１コンデンサＣ１１に設定を切り替える。
【００３６】
（ステップＳ０３：予備発光用カウント書込）
前述のように、予備発光時における発光量（予備発光量）は、撮影条件に関わらず一定であり、予備発光時の発光パルス数も一定となっている。マイコンＵ１は、この予備発光時のパルス数をレジスタ／デコーダに書き込んでステップＳ０４に進む。
（ステップＳ０４：カウンタ値リセット）
マイコンＵ１は、カウンタ２２のカウンタ値をリセットしてステップＳ０５に進む。
【００３７】
＜タイミングｂ＞
（ステップＳ０５：予備発光開始）
マイコンＵ１は、出力ポートＰｏ１から発光開始信号を出力する。
発光開始信号が出力されると、スピードライトＳは、これに応じて予備発光を開始する。スピードライトＳが照明光を発光すると、ＳＰＤ３がこれを検出して電荷を出力する。調光回路部２０は、信号変換回路２１がこのＳＰＤ３の出力を第１コンデンサＣ１１を介してパルス信号に変換し、このパルス信号をカウンタ２２でカウントする（ステップＳ０６に進む）。
【００３８】
＜タイミングｃ及びｄ＞
（ステップＳ０６：コンパレータ出力判定）
コンパレータ２４は、ステップＳ０３においてレジスタ／デコーダ２３に登録されたパルス数と、カウンタ２２からの出力（パルス数）とを比較し、これらが一致した場合には、発光回路部３０に対して発光停止信号を出力する（タイミングｃ）。発光回路部３０は、これに応じて発光を停止する。
スピードライトＳは、発光停止信号が入力された後もオーバーラン発光するので、カウンタ２２は、このオーバーラン発光が停止するまでパルス数のカウント（タイミングｄ）を行う（ステップＳ０７に進む）。
【００３９】
（ステップＳ０７：発光信号リセット）
マイコンＵ１は、出力ポートＰｏ１の出力をリセット（Ｐｏ１＝Ｌｏｗ）し、ステップＳ０８に進む。
【００４０】
（ステップＳ０８：レジスタ／デコーダリセット）
マイコンＵ１は、ステップＳ０３で登録した予備発光用のパルス数をリセットして、ステップＳ０９に進む。
（ステップＳ０９：本発光量を演算）
マイコンＵ１は、絞り値情報、距離エンコーダの出力に基づく被写体までの距離情報、及び、測光センサ４の出力に基づく被写体の輝度情報から、本発光時の発光量を演算してステップＳ１０に進む。
【００４１】
（ステップＳ１０：本発光量判定）
マイコンＵ１は、ステップＳ０９で演算した本発光量と、予め設定された所定の閾値（前述の所定発光量）との比較を行い、本発光量が閾値未満の場合には、ステップＳ１１に進み、本発光量が閾値以上である場合には、ステップＳ１２に進む。ここで、閾値の値は、特に限定されないが、例えば、予備発光時の予備発光量と同程度、あるいは、予備発光量よりも多少大きな値にするとよい。
【００４２】
＜タイミングｅ＞
（ステップＳ１１：第１コンデンサＣ１１選択）
マイコンＵ１は、出力ポートＰｏ２の出力をＨｉｇｈ、出力ポートＰｏ３の出力をＬｏｗとすることによって、第１コンデンサＣ１１を選択する（第１分解能モード）。ただし、ステップＳ０２で第１コンデンサＣ１１を選択しているので、図５に示すように蓄積部２０ａの状態に変化はない。
（ステップＳ１２：第２コンデンサＣ１２選択）
マイコンＵ１は、出力ポートＰｏ２の出力をＬｏｗ、出力ポートＰｏ３の出力をＨｉｇｈとすることによって、図６に示すように第２コンデンサＣ１２を選択する（第２分解能モード）。
【００４３】
（ステップＳ１３：本発光用カウント書込）
マイコンＵ１は、ステップＳ０９で演算した発光量（本発光量）に応じたパルス数を演算し、このパルス数をレジスタ／デコーダ２３に書き込む（タイミングｅ）。
ここで、第１コンデンサＣ１１が選択された第１分解能モードでは、前述のように単位発光量あたりの出力パルス数が第２分解能モードよりも多くなる。したがって、発光量に応じた設定パルス数も、仮に本発光量が同じであるとすると、第１分解能モードの方が第２分解能モードを選択した場合に比べて多くなる。したがって、第１分解能モードでは、第２分解能モードに比べて、より細かい発光量の設定が可能になる（ステップＳ１４に進む）。
（ステップＳ１４：カウンタ値リセット）
マイコンＵ１は、カウンタ２２のカウンタ値をリセットしてステップＳ１５に進む。
【００４４】
＜タイミングｆ＞
（ステップＳ１５：ミラーアップ）
マイコンＵ１は、モータドライバ１２を制御してミラー９を退避位置に駆動（タイミングｆ）し、ステップＳ１６に進む。
【００４５】
＜タイミングｇ＞
（ステップＳ１６：先幕走行）
マイコンＵ１は、出力ポートＰｏ１３の出力をＨｉｇｈにして、シャッター１０の先幕を走行させ、ステップＳ１７に進む。
（ステップＳ１７：シャッター全開判定）
シャッター全開スイッチ１６は、先幕の走行動作に連動して出力がｏｆｆからｏｎに切り替わり、マイコンＵ１は、このシャッター全開スイッチ１６の出力変化に応じてステップＳ１８に進む。
【００４６】
（ステップＳ１８：本発光開始）
マイコンＵ１は、出力ポートＰｏ１の出力をＨｉｇｈにして、発光回路部３０に対して発光開始信号を出力する。発光開始信号が出力されると、スピードライトＳは、これに応じて本発光を開始する。スピードライトＳが照明光を発光すると、ＳＰＤ３がこれを検出して電荷を出力する。調光回路部２０は、信号変換回路２０ｂがＳＰＤ４の出力を、第１コンデンサＣ１１又は第２コンデンサＣ１２のうちの選択されている方のコンデンサを介してパルス信号に変換する。カウンタ２２は、信号変換回路２１から出力されたパルス信号のパルス数をカウントする（ステップＳ１９に進む）。
【００４７】
＜タイミングｈ及びｉ＞
（ステップＳ１９：コンパレータ出力判定）
コンパレータ２４は、ステップＳ１３においてレジスタ／デコーダ２３に書き込まれたパルス数と、カウンタ２２の出力（パルス数）とを比較する。これらが一致（タイミングｈ）した場合には、発光回路部３０に対して発光停止信号を出力する。この制御は、図５及び図６に示すように、本発光時の発光量が異なっても同様に行われる。
発光停止信号が出力されると、発光回路部３０は、これに応じて発光を停止する。このときも、カウンタ２２は、ステップＳ０６と同様に、オーバーラン発光が停止するまでパルス数のカウント（タイミングｉ）を行う（ステップＳ２０に進む）。
【００４８】
（ステップＳ２０：レジスタ／デコーダリセット）
マイコンＵ１は、ステップＳ１３でレジスタ／デコーダ２３に書き込んだ本発光用のパルス数をリセットして、ステップＳ２１に進む。
【００４９】
＜タイミングｊ＞
（ステップＳ２１：後幕走行）
マイコンＵ１は、所定のシャッタスピードが経過した後に出力ポートＰｏ１４の出力をＨｉｇｈにして、シャッター１０の後幕の走行を開始させ、ステップＳ２２に進む。
（ステップＳ２０：発光信号リセット）
マイコンＵ１は、出力ポートＰｏ１の出力をリセット（Ｐｏ１＝Ｌｏｗ）し、ステップＳ２３に進む。
【００５０】
＜タイミングｋ＞
（ステップＳ２３：ミラーダウン）
マイコンＵ１は、モータドライバ１２を制御してミラー９を駆動して処理を終了する。
【００５１】
次に、本実施形態のデジタルカメラＤの効果を図７及び図８を用いて説明する。
図７及び図８は、スピードライトのガイドナンバー（ＧＮ）とパルス数との関係を示すグラフである。
ここで、図７において、グラフＡは、調光回路部２０においてコンデンサＣ１１が選択された場合（第１分解能モード）のグラフであり、グラフＢは、調光回路部２０においてコンデンサＣ１２が選択された場合（第２分解能モード）のグラフである。
また、図８は、図７に示すグラフＢを、より広いＧＮ値の範囲で示している。
【００５２】
本実施形態の調光回路部２０は、前述したように第１コンデンサＣ１１を選択した場合（第１分解能モード）の方が第２コンデンサＣ１２を選択した場合（第２分解能モード）に比べ、閃光放電管２の単位発光量あたりのパルス数が多くなり、より高い分解能で発光量を検出することができる。
すなわち、閃光放電管２の発光量を設定するにあたり（ステップＳ１３参照）、第１分解能モードの方が第２分解能モードを選択した場合に比べ、レジスタ／デコーダ２３に書き込むするパルス数が多くなる。
【００５３】
図７を用いて説明すると、例えば、ＧＮ２のとき、コンデンサＣ１２が選択された第２分解能モード（グラフＢ）では、信号変換回路から出力されるパルス数が、例えば、１７〜１８程度の範囲であるのに対し、コンデンサＣ１１が選択された第１分解能モードでは、レジスタ／デコーダ２３に書き込むパルス数が、例えば、５０を越える。
【００５４】
したがって、本実施形態のデジタルカメラＤは、スピードライトＳの発光量を精度よく設定することができる。特に予備発光時の発光量等、発光量が微小な場合であってもその発光量を精度よく制御できるので、予備発光時の発光量のばらつきを防止できる。
【００５５】
なお、調光回路部２０は、スピードライトＳの発光量のダイナミックレンジに応じた設定能力及び検出能力が必要となるので、ＧＮが大きくなるとパルス数がこれに応じて飛躍的に多くなる（図８参照）。したがって、単位光量あたりのパルス数を増加させることによって検出分解能を向上させた第１分解能モードでは、ＧＮが増加すると、これに応じてカウンタ２２やコンパレータ２４に対する負荷が増大する可能性がある。
これに対し、本実施形態のデジタルカメラＤにおいて、第１分解能モードは、例えば、予備発光等の発光量が比較的少ない場合に使用するモードであり、ＧＮが増加すると第２分解能モードに切り替わる。したがって、パルス数の増加によるカウンタ２２等の負荷増大を考慮しなくてもよい。
【００５６】
［第２実施形態］
次に本発明を適用した照明光発光装置の実施形態である外付け型スピードライトについて説明する。この第２実施形態において、上述した第１実施形態と同様な機能を果たす部分には、同一の符号又は末尾に統一した符号を付して、重複する説明や図面を適宜省略する。
図９は、第２実施形態の外付け型スピードライトを含むカメラシステムを示すブロック図である。
【００５７】
第２実施形態に係る外付け型スピードライトＳ２は、カメラ本体２０１に備えられたアクセサリーシュー２０２を介してカメラ本体２０１に対して着脱可能に接続される照明光発光装置である。外付け型スピードライトＳ２は、アクセサリーシュー２０２に備えられた電気接点（図示省略）を介してカメラ本体２０１と通信を行うことができるようになっている。
【００５８】
この外付け型スピードライトＳ２は、第１実施形態の内蔵型スピードライトＳに比べてより大きな光量で照明光を発光できる点を除き、第１実施形態の内蔵型スピードライトＳと略同じ機構の発光回路部２３０を備えている。
そして、外付け型スピードライトＳ２は、第１実施形態のカメラ本体１に備えられた調光回路部２０と同様な調光回路部２２０と、第１実施形態と同様に発光条件に応じて調光回路部２２０の検出分解能を切り替えるマイコンＵ２０１とを備えている。
【００５９】
第２実施形態の外付け型スピードライトＳ２は、測光センサ４の出力や交換レンズ１０１の距離エンコーダの出力等によって決定される撮影条件情報をカメラ本体２０１から取得することによって、マイコンＵ２０１が本発光時の発光予定量を演算する。
第２実施形態の外付け型スピードライトＳ２を用いて撮影を行う場合、この外付け型スピードライトＳ２とカメラ本体２０１とが協働して撮影時の発光制御を行う。すなわち、ミラー９やシャッター１０の駆動は、カメラ本体２０１のマイコンＵ３０１が行い、発光開始指示及び発光停止指示は、外付け型スピードライトＳ２のマイコンＵ２０１が行う点が第１実施形態と異なっているが、図４に示すフローチャート、図５及び図６にタイミングチャートに示す流れで撮影時の発光制御を行う。
この第２実施形態の外付け型スピードライトＳ２を用いて撮影を行う場合も、第１実施形態と同様に、発光量を精度よく制御できる。
【００６０】
［変形形態］
本発明は、以上説明した実施形態に限定されることなく、種々の変形や変更が可能であって、それらも本発明の技術的範囲内である。
（１）実施形態は、予備発光を行って被写体輝度を測定した後に本発光量を演算したが、これに限らず、予備発光を行わずに、撮影者によって入力された発光量で本発光を行ってもよい（マニュアル調光）。この場合であっても、制御部（マイコンＵ１）は、入力された発光量が閾値未満か否かの判定を行い（ステップＳ１０）、この結果に応じて、調光回路部の検出分解能を選択する。具体的には、発光量が閾値よりも小さい場合には、コンデンサＣ１１を用いた第１分解能モードを選択し、発光量が閾値よりも大きい場合には、コンデンサＣ１２を用いた第２分解能モードを選択する。
（２）実施形態の検出部は、２つのコンデンサを切り替えることによって、検出分解能を２段階で切り替えたが、コンデンサの数は、これに限られず、例えば、３つ以上でもよく、検出分解能を３段階以上で切り替えることができるようにしてもよい。
（３）実施形態の調光回路部は、蓄積部に備えられた電荷の蓄積量がコンデンサの静電容量を越えた場合に１パルス信号を出力したが、これに限らず、例えば、所定の電荷量（例えば、静電容量の８割等）に達した場合に、これを検出して１パルス信号を出力してもよい。
【図面の簡単な説明】
【００６１】
【図１】第１実施形態のデジタルカメラの構造を示す図である。
【図２】図１に示すデジタルカメラに備えられたスピードライトの発光パターンを示す図である。
【図３】図１に示すデジタルカメラの電気的な概略構成を示す図である。
【図４】図１に示すデジタルカメラの撮影動作を示すフローチャートである。
【図５】図１に示すデジタルカメラの撮影動作を示すタイミングチャートである。
【図６】図１に示すデジタルカメラの撮影動作を示すタイミングチャートである。
【図７】スピードライトのガイドナンバーとパルス数との関係を示すグラフである。
【図８】スピードライトのガイドナンバーとパルス数との関係を示すグラフである。
【図９】第２実施形態の外付け型スピードライトを含むカメラシステムを示すブロック図である。
【符号の説明】
【００６２】
１  カメラ本体  ：  ３  ＳＰＤ  ：  ２０  検出部  ：  ２１ａ  蓄積部  ：  Ｃ１１  第１コンデンサ  ：  Ｃ１２  第２コンデンサ  ：  Ｓ  スピードライト  ：  Ｕ１  マイコン
【図１】
2009098301.tif 000003
【図２】
2009098301.tif 000004
【図３】
2009098301.tif 000005
【図４】
2009098301.tif 000006
【図５】
2009098301.tif 000007
【図６】
2009098301.tif 000008
【図７】
2009098301.tif 000009
【図８】
2009098301.tif 000010
【図９】
2009098301.tif 000011